(57)【要約】【課題】整合部の整合間隔を制御することによって、シートの整合に伴う動作音の発生を低減する。【解決手段】画像形成装置１００は、検出部である第１メディアセンサーＭＳ１及び第２メディアセンサーＭＳ２と、画像形成部５と、第１排出トレイ７１と、整合部である第１パドルＰＤ１及び第２パドルＰＤ２と、制御部９とを備える。第１メディアセンサーＭＳ１及び第２メディアセンサーＭＳ２は、シートＳの性質を検出する。画像形成部５は、シートＳに画像を形成する。第１排出トレイ７１は、画像が形成されたシートＳが排出される。第１パドルＰＤ１と第２パドルＰＤ２とは、第１排出トレイ７１に排出されたシートＳを整合する。制御部９は、第１メディアセンサーＭＳ１及び第２メディアセンサーＭＳ２が検出したシートＳの性質に基づいて、第１パドルＰＤ１及び第２パドルＰＤ２による整合間隔を制御する。【選択図】図３
2019218152.tif 000002
【特許請求の範囲】
【請求項１】
シートの性質を検出する検出部と、
前記シートに画像を形成する画像形成部と、
前記画像が形成された前記シートが排出される排出トレイと、
前記排出トレイに排出された前記シートを整合する整合部と、
前記検出部が検出した前記シートの性質に基づいて、前記整合部による整合間隔を制御する制御部と
を備える画像形成装置。
【請求項２】
前記制御部は、
前記シートの性質を前記検出部から取得する取得部と、
前記シートの性質と前記整合部による整合間隔とを関連づけて記憶する関連記憶部と、
前記関連記憶部が記憶している情報を参照して、前記取得部が取得した前記シートの性質から前記整合部による整合間隔を決定する決定部と、
前記決定部の決定した間隔で前記整合部を駆動させる指示部と
を備える、請求項１に記載の画像形成装置。
【請求項３】
前記整合部が、互いに対向する２つの平板材を備え、
前記関連記憶部は、前記シートの性質と前記整合部による整合距離とを更に関連づけて記憶し、
前記整合距離は、前記２つの平板材の間の距離を示し、
前記決定部は、前記関連記憶部が記憶している情報を参照して、前記取得部が取得した前記シートの性質から前記整合部によって前記整合距離を更に決定する、請求項２に記載の画像形成装置。
【請求項４】
前記シートの性質が、前記シートの平滑度、前記シートの大きさ、前記シートの厚さ、及び前記シートの種類のうちの少なくとも１つを含む、請求項１から請求項３のいずれか１項に記載の画像形成装置。
【請求項５】
前記２つの平板材が前記シートの排出方向に直交する方向に移動可能である、請求項１から請求項４のいずれか１項に記載の画像形成装置。
【請求項６】
前記シートを収容するカセットを更に備え、
前記検出部が、前記カセットの内部に設けられている、請求項１から請求項５のいずれか１項に記載の画像形成装置。
【発明の詳細な説明】
【技術分野】
【０００１】
本発明は、画像形成装置に関する。
【背景技術】
【０００２】
カラー複合機等の画像形成装置は、画像が形成されたシートが排出される排出トレイを備える。また、画像が形成されたシートは、平滑度、大きさ、厚さ、及び種類等のシートの性質によって、排出トレイ上でバラバラに散乱することがある。そこで、シートの散乱を防ぐため、排出トレイにパドルなどの寄せ整合部材を備えた画像形成装置が既に存在する。
【０００３】
例えば、特許文献１は、用紙を整合する用紙整合装置について記載している。特許文献１に記載の用紙整合装置は、シートの排出方向と直交する方向に移動する寄せ整合部材によって、用紙積載部材に排出された用紙を整合する。
【先行技術文献】
【特許文献】
【０００４】
【特許文献１】特開２００９−３５４０４号公報
【発明の概要】
【発明が解決しようとする課題】
【０００５】
しかしながら、特許文献１に記載の寄せ整合部材は、モーターによって駆動し、動作時には動作音を発生する。そのため、特許文献１に記載の用紙整合装置の寄せ整合部材を連続して動作させると、動作音も連続して発生し続ける。
【０００６】
本発明は、上記課題に鑑み、整合部の整合間隔を制御することによって、シートの整合に伴う動作音の発生を低減する画像形成装置を提供することを目的とする。
【課題を解決するための手段】
【０００７】
本発明の画像形成装置は、検出部、画像形成部、排出トレイ、整合部、及び制御部を備える。前記検出部は、前記シートの性質を検出する。前記画像形成部は、前記シートに画像を形成する。前記排出トレイは、前記画像が形成された前記シートが排出される。前記整合部は、前記排出トレイに排出された前記シートを整合する。前記制御部は、前記検出部が検出した前記シートの性質に基づいて、前記整合部による整合間隔を制御する。
【発明の効果】
【０００８】
本発明によれば、整合部の整合間隔を制御することによって、シートの整合に伴う動作音の発生を抑制できる。
【図面の簡単な説明】
【０００９】
【図１】本発明の実施形態に係る画像形成装置の構成の一例を示す図である。
【図２】本発明の実施形態に係る第１排出トレイの構成の一例を示す図である。
【図３】本発明の実施形態に係る画像形成装置の構成の一例を示すブロック図である。
【図４】本発明の実施形態に係る画像形成装置の整合間隔を制御する動作を示すフローチャートの一例である。
【図５】本発明の実施形態に係る画像形成装置の整合間隔を制御する動作を示すフローチャートの一例の続きである。
【図６】本発明の実施形態に係る排出先表示画面の一例を示す図である。
【図７】本発明の実施形態に係る質問画面の一例を示す図である。
【発明を実施するための形態】
【００１０】
以下、図面を参照して、本発明の実施形態について説明する。なお、図中、同一又は相当部分については同一の参照符号を付して説明を繰り返さない。
【００１１】
図１〜図７を参照して、画像形成装置１００の構成について説明する。図１は、本発明の実施形態に係る画像形成装置１００の構成の一例を示す図である。
【００１２】
図１に示すように、本実施形態の画像形成装置１００は、複合機である。なお、画像形成装置１００は、コピー、プリンター、又はファクシミリであってもよい。複合機は、例えば、コピー機能、プリンター機能、及びファクシミリ機能のうち少なくとも２つの機能を有する。
【００１３】
画像形成装置１００は、シートＳに画像を形成する。シートＳは、例えば、普通紙、コピー紙、再生紙、薄紙、厚紙、光沢紙、又はＯＨＰ（Ｏｖｅｒｈｅａｄ  Ｐｒｏｊｅｃｔｏｒ）シートである。
【００１４】
画像形成装置１００は、筐体１と、原稿搬送部２、画像読取部３と、収納部４と、画像形成部５と、定着部６と、排出部７と、操作部８と、制御部９とを備える。シートＳは、シート搬送経路に沿って収納部４から排出部７まで搬送される。
【００１５】
図１において、操作部８が向く方向を前方とし、前後方向を規定する。また、画像形成装置１００の正面に向かって左手側を左方とし、左右方向を規定する。また、前後方向、及び左右方向と直交する方向を上下方向と規定する。
【００１６】
筐体１は、矩形状であり、箱体に形成される。筐体１は、収納部４と、画像形成部５と、定着部６と、排出部７と、制御部９とを収容する。
【００１７】
原稿搬送部２は、画像読取部３に向けて原稿Ｒを搬送する。画像読取部３は、原稿Ｒの画像を読み取って画像データを生成する。画像読取部３は、例えば、スキャナーである。
【００１８】
収納部４は、第１カセット４１及び第２カセット４２を有する。第１カセット４１及び第２カセット４２は、画像形成装置１００の下部に配置される。第１カセット４１及び第２カセット４２は、筐体１から着脱可能である。第１カセット４１及び第２カセット４２は、複数のシートＳを収容可能である。なお、カセットの数は、１つでもよく、３つ以上であってもよい。また、収納部４はカセットに加えて、手差しトレイを更に有していてもよい。
【００１９】
第１カセット４１の内部には、検出部である第１メディアセンサーＭＳ１が設けられている。第２カセット４２の内部には、検出部である第２メディアセンサーＭＳ２が設けられている。第１メディアセンサーＭＳ１及び第２メディアセンサーＭＳ２は、シートＳに光を照射する光源、及びＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサーを含む。ＣＭＯＳイメージセンサーは、シートＳの表面を撮像して得られる信号を生成する。ＣＭＯＳイメージセンサーは、生成した信号を制御部９に送信する。信号は、受光した反射光の波長及び強度を示す情報を含む。
【００２０】
第１メディアセンサーＭＳ１及び第２メディアセンサーＭＳ２は、シートＳの性質を検出する。シートＳの性質は、シートＳの平滑度、シートＳの大きさ、シートＳの厚さ、又はシートＳの種類である。シートＳの種類は、例えば、普通紙、コピー紙、再生紙、薄紙、厚紙、光沢紙、又はＯＨＰシートである。
【００２１】
なお、第１メディアセンサーＭＳ１及び第２メディアセンサーＭＳ２は、ＣＭＯＳイメージセンサーに替えてＣＣＤ（Ｃｈａｒｇｅ−Ｃｏｕｐｌｅｄ  Ｄｅｖｉｃｅ）イメージセンサーを含んでもよい。
【００２２】
画像形成部５は、シート搬送経路において、収納部４よりも下流側に配置される。画像形成部５は、シートＳにトナー画像を形成する。画像形成部５は、感光体ドラム５１と、帯電装置５２と、露光装置５３と、現像装置５４と、転写装置５５とを有する。
【００２３】
感光体ドラム５１は、回転可能に配置される。感光体ドラム５１は、例えば、導電性基体と、感光層とを有している。導電性基体は、導電性を有しており、筒状に形成される。感光層は、導電性基体の外周面上に形成される。
【００２４】
帯電装置５２は、感光体ドラム５１を所定電位に帯電する。露光装置５３は、帯電された感光体ドラム５１の外周面に、レーザーを照射して静電潜像を形成する。静電潜像は、画像読取部３によって生成される画像データ等に基づいて形成される。
【００２５】
現像装置５４は、静電潜像をトナー画像として現像する。この結果、感光体ドラム５１の外周面には、トナー画像が形成される。転写装置５５は、シートＳにトナー画像を転写する。転写装置５５は、転写ローラーを含む。転写ローラーは、感光体ドラム５１と共にニップ部を形成する。転写ローラーは、ニップ部を通過するシートＳにトナー画像を転写する。
【００２６】
定着部６は、シート搬送経路において、画像形成部５よりも下流側に配置される。定着部６は、加熱部材６１と、加圧部材６２とを有する。加熱部材６１、及び加圧部材６２は、トナー画像が転写されたシートＳを加熱、及び加圧して、シートＳにトナー画像を定着させる。なお、加熱部材６１は、例えば、ローラー、又はベルトのような無端回動体を有する。また、加圧部材６２は、例えば、ローラーのような無端回動体を有する。
【００２７】
排出部７は、シート搬送経路において、定着部６よりも下流側に配置される。排出部７は、第１排出トレイ７１と、第２排出トレイ７２を有している。
【００２８】
操作部８は、表示部８１と入力部８２とを有する。表示部８１は、ディスプレーから構成される。ディスプレーは、タッチパネル機能を有する液晶ディスプレー、又は有機ＥＬ（Ｅｌｅｃｔｒｏ  Ｌｕｍｉｎｅｓｃｅｎｃｅ）ディスプレーを含む。表示部８１は、画像形成装置１００の各種の設定画面を表示する。
【００２９】
表示部８１は、質問メッセージを表示して、画像形成装置１００の外部に通知する。質問メッセージは、例えば、「第２排出トレイに排出します。よろしいですか？」、「印刷物が散乱する可能性があります。第１排出トレイに変更しますか？」である。なお、表示部８１は、質問メッセージの他に、エラーメッセージを表示して、画像形成装置１００の外部に通知する。エラーメッセージは、例えば、「トナーコンテナを交換して下さい。」、「用紙が詰まっています。」である。
【００３０】
入力部８２は、ハードキーを含む。入力部８２は、ユーザーの操作に応じた操作信号を制御部９に出力する。ユーザーの操作は、例えば、画像形成装置１００の各種設定を行う操作を含む。
【００３１】
制御部９は、画像形成装置１００が備える各部の動作を制御する。制御部９は、プロセッサー９１及び記憶部９２を備える。プロセッサー９１は、例えばＣＰＵ（Ｃｅｎｔｒａｌ  Ｐｒｏｃｅｓｓｉｎｇ  Ｕｎｉｔ）を備える。記憶部９２は、半導体メモリーのようなメモリーを備え、ＨＤＤ（Ｈａｒｄ  Ｄｉｓｋ  Ｄｒｉｖｅ）を備えてもよい。記憶部９２は、制御プログラムを記憶している。プロセッサー９１は、制御プログラムを実行することによって、画像形成装置１００の動作を制御する。
【００３２】
図２を参照して、第１排出トレイ７１の構成について説明する。図２は、第１排出トレイ７１の構成図の一例である。図２（ａ）は、シートＳの整合前の状態を示す図である。図２（ｂ）は、シートＳの整合後の状態を示す図である。なお、図２において、図１と同じように、前後方向、左右方向、及び上下方向を規定する。
【００３３】
図２（ａ）に示すように、第１排出トレイ７１は、第１パドルＰＤ１及び第２パドルＰＤ２を備えている。第１パドルＰＤ１と第２パドルＰＤ２とは整合部の一例である。
【００３４】
シートＳは、第１パドルＰＤ１と第２パドルＰＤ２との間に排出され、シート束Ｔの上に積載される。シート束Ｔは、シートＳよりも前に第１排出トレイ７１に排出され、既に整合されたシートＳの束である。
【００３５】
第１パドルＰＤ１と第２パドルＰＤ２とは、互いに対向する平板材であり、シートＳの排出方向に直交する方向（前後方向）に移動可能である。言い換えると、第１パドルＰＤ１と第２パドルＰＤ２との間の距離は、可変である。
【００３６】
第１パドルＰＤ１と第２パドルＰＤ２とは、ステッピングモーターである駆動モーターによって、移動する。第１パドルＰＤ１は、図２には図示していない第１駆動モーターＰＤＭ１によって、移動する。また、第２パドルＰＤ２は、図２には図示していない第２駆動モーターＰＤＭ２によって、移動する。第１駆動モーターＰＤＭ１及び第２駆動モーターＰＤＭ２の駆動は、制御部９によって制御されている。そのため、第１パドルＰＤ１と第２パドルＰＤ２との間の距離は、制御部９によって制御できる。
【００３７】
図２及び図３を参照して、実施形態に係る制御部９の構成について説明する。図３は、本発明の実施形態に係る制御部９の構成の一例を示す図である。図３に示すように、制御部９は、第１カセット４１の第１メディアセンサーＭＳ１及び第２カセット４２の第２メディアセンサーＭＳ２と接続している。制御部９は、第１排出トレイ７１の第１駆動モーターＰＤＭ１及び第２駆動モーターＰＤＭ２と接続している。
【００３８】
制御部９は、取得部９０１、関連記憶部９０２、決定部９０３、及び指示部９０４を備える。具体的には、制御部９のプロセッサー９１は、記憶部９２が記憶する制御プログラムを実行することによって、取得部９０１、関連記憶部９０２、決定部９０３、及び指示部９０４として機能する。
【００３９】
取得部９０１は、第１メディアセンサーＭＳ１、及び第２メディアセンサーＭＳ２から、シートＳの性質を取得する。取得部９０１は、取得したシートＳの性質を決定部９０３に送信する。
【００４０】
関連記憶部９０２は、シートＳの性質と整合部による整合間隔とを関連づけて記憶する。シートＳの性質は、例えば、シートＳの平滑度、シートＳの種類、シートＳの大きさ、シートＳの厚さである。整合間隔は、整合と次の整合との間に排出されるシートＳの枚数である。整合間隔は、例えば、整合してから次に整合するまでに、シートＳが１０枚排出されることである。
【００４１】
シートＳの平滑度が高くなるにつれて、シートＳは排出トレイ上で散乱し易くなる。そのため、シートＳの平滑度が高ければ、制御部９は整合間隔が短くなるように、第１パドルＰＤ１と第２パドルＰＤ２とを制御する。シートＳの種類が光沢紙、ＯＨＰシートの場合は、シートＳの種類が普通紙である場合よりも、シートＳの平滑度は高くなるので、制御部９は整合間隔が短くなるように、第１パドルＰＤ１と第２パドルＰＤ２とを制御する。
【００４２】
例えば、平滑度が、低い順に領域Ａ、領域Ｂ、領域Ｃ、及び領域Ｄの４つの領域に分けられるとする。この場合、平滑度が領域Ａの場合は整合間隔が１０枚であり、平滑度が領域Ｂの場合は整合間隔が５枚であり、平滑度が領域Ｃの場合は整合間隔が３枚であり、平滑度が領域Ｄであれば整合間隔は１枚である。
【００４３】
また、例えば、シートＳが普通紙であれば整合間隔は１０枚であり、シートＳが光沢紙であれば整合間隔は５枚であり、シートＳがＯＨＰシートであれば整合間隔は３枚である。
【００４４】
平滑度が同じシートＳでも、シートＳが大きいほど、又はシートＳが厚いほど、シートＳは重くなるので、排出トレイ上で散乱し難くなる。そのため、シートＳの大きいほど、又はシートＳの厚いほど、制御部９は整合間隔が長くなるように、第１パドルＰＤ１と第２パドルＰＤ２とを制御する。
【００４５】
例えば、シートＳの大きさがＡ４であれば整合間隔は１０枚であり、シートＳの大きさがＡ３であれば整合間隔は２０枚である。また、シートＳが普通紙であれば整合間隔は１０枚であり、シートＳが普通紙よりも軽量な辞書用紙であれば整合間隔は５枚である。
【００４６】
関連記憶部９０２は、シートＳの性質と整合部による整合間隔に加えて、整合距離とを関連づけて記憶してもよい。整合距離は、第１パドルＰＤ１と第２パドルＰＤ２との間の距離である。整合距離は、例えば２３ｃｍである。
【００４７】
シートＳの平滑度が高くなるにつれて、シートＳは排出トレイ上で滑り易くなる。そのため、シートＳの平滑度が高ければ、制御部９は整合距離が短くなるように、第１パドルＰＤ１と第２パドルＰＤ２とを制御する。シートＳの種類が光沢紙、ＯＨＰシートの場合は、シートＳの種類が普通紙である場合よりも、シートＳの平滑度は高くなるので、制御部９は整合間隔が短くなるように、第１パドルＰＤ１と第２パドルＰＤ２とを制御する。
【００４８】
例えば、平滑度が、低い順に領域Ａ、領域Ｂ、領域Ｃ、及び領域Ｄの４つの領域に分けられるとする。この場合、平滑度が領域Ａの場合は整合距離が２６ｃｍであり、平滑度が領域Ｂの場合は整合距離が２５ｃｍであり、平滑度が領域Ｃの場合は整合距離が２４ｃｍであり、平滑度が領域Ｄであれば整合距離は２３ｃｍである。
【００４９】
また、例えば、シートＳが普通紙であれば整合距離は２５ｃｍであり、シートＳが光沢紙であれば整合距離は２４ｃｍであり、シートＳがＯＨＰシートであれば整合距離は２３ｃｍである。
【００５０】
平滑度が同じシートＳでも、シートＳが大きくなるにつれ、シートＳは重く、排出トレイ上で難くなる。また、シートＳは、第１パドルＰＤ１と第２パドルＰＤ２との間に排出されなければ、整合できない。そのため、シートＳが大きいほど、制御部９は整合距離が長くなるように、第１パドルＰＤ１と第２パドルＰＤ２とを制御する。
【００５１】
例えば、シートＳの大きさがＡ４であれば整合距離は２３ｃｍであり、シートＳの大きさがＡ３であれば整合間隔は３２ｃｍである。
【００５２】
平滑度が同じシートＳでも、シートＳが薄くなるにつれ、シートＳは軽くなり、排出トレイ上で滑り易くなる。そのため、シートＳが薄いほど、制御部９は整合距離が短くなるように、第１パドルＰＤ１と第２パドルＰＤ２とを制御する。
【００５３】
例えば、シートＳが普通紙であれば整合距離は２４ｃｍであり、シートＳが普通紙よりも軽量な辞書用紙であれば整合距離は２３ｃｍである。
【００５４】
なお、シートＳの性質と、整合部による整合間隔と、整合距離との関連づけは、画像形成装置１００の製造時に設定してもよく、画像形成装置１００の稼働後にサービスマンが設定、及び／又は変更できるようにしてもよい。
【００５５】
決定部９０３は、関連記憶部９０２が記憶している情報を参照して、取得部９０１が取得したシートＳの性質に基づいて、整合部による整合間隔を決定する。具体的には、決定部９０３は、シートＳの性質を取得部９０１から受信する。決定部９０３は、受信したシートＳの性質と関連づけられている整合間隔を関連記憶部９０２から検索して、整合間隔を決定する。より具体的には、決定部９０３は、シートＳの平滑度が領域Ａに含まれていると受信すると、関連記憶部９０２から検索して整合間隔を１０枚とする。決定部９０３は、決定した整合間隔を指示部９０４に送信する。
【００５６】
決定部９０３は、シートＳの性質が変化した場合、整合間隔を０枚と決定してもよい。決定部９０３は、整合間隔を０枚と決定する前に取得したシートＳの性質に基づいて、整合間隔を決定してもよい。決定部９０３は、シートＳの性質が所定の閾値を超過した場合、整合間隔を０枚と決定してもよい。閾値は、画像形成装置１００の製造時に設定してもよく、画像形成装置１００の稼働後にサービスマンが設定、及び／又は変更できるようにしてもよい。
【００５７】
決定部９０３は、整合間隔に加えて、整合距離を決定してもよい。具体的には、決定部９０３は、シートＳの性質を取得部９０１から受信する。決定部９０３は、受信したシートＳの性質と関連づけられている整合距離を関連記憶部９０２から検索して、整合距離を決定する。より具体的には、決定部９０３は、シートＳの平滑度が領域Ａに含まれていると受信すると、関連記憶部９０２から検索して整合距離を２６ｃｍとする。
【００５８】
指示部９０４は、決定部９０３から受信した整合間隔と、整合距離とに基づいて、整合部である第１パドルＰＤ１及び第２パドルＰＤ２を駆動させる。言い換えると、指示部９０４は、第１パドルＰＤ１の第１駆動モーターＰＤＭ１及び第２パドルＰＤ２の第２駆動モーターＰＤＭ２を、決定部９０３の決定した整合間隔と、整合距離とにしたがって駆動させる。
【００５９】
図４及び図５を参照して、画像形成装置１００の整合間隔の制御について、動作を説明する。図４は、画像形成装置１００の整合間隔を制御する動作を示すフローチャートの一例である。図５は、画像形成装置１００の整合間隔を制御する動作を示すフローチャートの一例の続きである。
【００６０】
図４及び図５に示すように、整合間隔を制御する動作は、ユーザーがシートＳへの画像形成を画像形成装置１００に指示すると、開始する。なお、第１カセット４１に収容されているシートＳを使用する。
【００６１】
ステップＳ１０１において、制御部９が、排出先表示画面Ｍを表示部８１に表示する。排出先表示画面Ｍは、画像形成されたシートＳが第２排出トレイ７２に排出されることをユーザーに示す。排出先表示画面Ｍの詳細については、図６を参照して後に説明する。動作はステップＳ１０２に進む。
【００６２】
ステップＳ１０２において、シートＳが排出される第２排出トレイ７２が第１パドルＰＤ１と第２パドルＰＤ２とを備えているか否かを、制御部９が判定する。第１パドルＰＤ１と第２パドルＰＤ２とを備えていると制御部９が判定した場合（ステップＳ１０２のＹｅｓ）は、動作はステップＳ１０３に進む。第１パドルＰＤ１と第２パドルＰＤ２とを備えていないと制御部９が判定した場合（ステップＳ１０２のＮｏ）は、動作はステップＳ２０１に進む。
【００６３】
ステップＳ１０３において、第１メディアセンサーＭＳ１が１枚目のシートＳの平滑度を測定する。取得部９０１が第１メディアセンサーＭＳ１によって測定された平滑度を取得する。動作はステップＳ１０４に進む。
【００６４】
ステップＳ１０４において、決定部９０３が、取得部９０１が取得した１枚目のシートＳの平滑度から関連記憶部９０２が記憶する整合間隔を検索し、第１パドルＰＤ１と第２パドルＰＤ２との整合間隔を決定する。動作はステップＳ１０５に進む。
【００６５】
ステップＳ１０５において、制御部９が、１枚目のシートＳに画像形成する。動作は図５に示すステップＳ１０６に進む。
【００６６】
ステップＳ１０６において、第１メディアセンサーＭＳ１がＮ（Ｎは２以上の整数）枚目のシートＳの平滑度を測定する。取得部９０１が第１メディアセンサーＭＳ１によって測定された平滑度を取得する。動作はステップＳ１０７に進む。
【００６７】
ステップＳ１０７において、平滑度に変化があったか否かを決定部９０３が判定する。平滑度に変化があったと決定部９０３が判定した場合（ステップＳ１０７のＹｅｓ）は、動作はステップＳ１０８に進む。平滑度に変化がなかったと決定部９０３が判定した場合（ステップＳ１０７のＮｏ）は、動作はステップＳ１１０に進む。
【００６８】
ステップＳ１０８において、決定部９０３が整合間隔を０枚に決定する。整合間隔が０枚になったので、指示部９０４が第１駆動モーターＰＤＭ１及び第２駆動モーターＰＤＭ２を駆動する。最後に、第１パドルＰＤ１と第２パドルＰＤ２とがシートＳを整合する。動作はステップＳ１０９に進む。
【００６９】
ステップＳ１０９において、第１メディアセンサーＭＳ１がステップＳ１０６で測定したＮ枚目のシートＳの平滑度に基づいて、決定部９０３が第１パドルＰＤ１と第２パドルＰＤ２との整合間隔の変更を決定する。動作はステップＳ１１０に進む。
【００７０】
ステップＳ１１０において、制御部９がＮ枚目のシートＳに画像を形成する。動作はステップＳ１１１に進む。
【００７１】
ステップＳ１１１において、平滑度が閾値を超過しているか否かを決定部９０３が判定する。平滑度が閾値を超過していると決定部９０３が判定した場合（ステップＳ１１１のＹｅｓ）は、動作はステップＳ１１２に進む。平滑度が閾値を超過していないと決定部９０３が判定した場合（ステップＳ１１１のＮｏ）は、動作はステップＳ１１３に進む。
【００７２】
ステップＳ１１２において、決定部９０３が整合間隔を０枚に決定する。整合間隔が０枚になったので、指示部９０４が第１駆動モーターＰＤＭ１及び第２駆動モーターＰＤＭ２を駆動する。最後に、第１パドルＰＤ１と第２パドルＰＤ２とがシートＳを整合する。動作はステップＳ１１３に進む。
【００７３】
図４に示すように、ステップＳ２０１において、制御部９が、質問画面Ｑを表示部８１に表示する。質問画面Ｑは第２排出トレイ７２の変更についてユーザーに尋ねる画面である。質問画面Ｑの詳細については、図７を参照して後に説明する。動作はステップＳ２０２に進む。
【００７４】
ステップＳ２０２において、質問画面Ｑの表示中に、ユーザーが第２排出トレイ７２の変更を選択すると、第２排出トレイ７２を変更するか否かを制御部９が判定する。第２排出トレイ７２を変更すると制御部９が判定した場合（ステップＳ２０２のＹｅｓ）は、動作はステップＳ１０３に進む。第２排出トレイ７２を変更しないと制御部９が判定した場合（ステップＳ２０２のＮｏ）は、動作はステップＳ２０３に進む。
【００７５】
ステップＳ２０３において、制御部９が、シートＳを整合することなく全ての画像形成を完了する。動作は完了する。
【００７６】
ステップＳ１１３において、画像形成が完了したか否かを制御部９が判定する。画像形成が完了していないと制御部９が判定した場合（ステップＳ１１３のＮｏ）、整合間隔を制御する動作はステップＳ１０６に進み、画像形成が全て完了するまで、ステップＳ１０６からステップＳ１１３を繰り返す。画像形成が完了したと制御部９が判定した場合（ステップＳ１１３のＹｅｓ）は、整合間隔を制御する動作は完了する。
【００７７】
図６を参照して、排出先表示画面Ｍについて説明する。図６は、本発明の実施形態に係る排出先表示画面Ｍの一例を示す図である。図６に示すように、表示部８１は排出先表示画面Ｍを表示する。
【００７８】
排出先表示画面Ｍは、通知「第２排出トレイに排出します。」を示す。排出先表示画面Ｍは、画像が形成されたシートＳが第２排出トレイ７２に排出されることを、画像形成装置１００からユーザーに通知する画面である。
【００７９】
図７を参照して、質問画面Ｑについて説明する。図７は、本発明の実施形態に係る質問画面Ｑの一例を示す図である。図７に示すように、表示部８１は質問画面Ｑを表示している。
【００８０】
質問画面Ｑは、質問「印刷物が散乱する可能性があります。排紙トレイを第１排出トレイに変更しますか？」を示す。また、質問画面Ｑは、ソフトキーである「はい」キーＹ及び「いいえ」キーＮを表示する。
【００８１】
ユーザーが「はい」キーＹを押すと、シートＳの排出先が第２排出トレイ７２から第１排出トレイ７１に変更される。ユーザーが「いいえ」キーＮを押すと、シートＳの排出先は第２排出トレイ７２から変更されずに、シートＳに画像が形成される。画像が形成されたシートＳは、散乱したまま整合されない。
【００８２】
図１〜図７を参照して、本発明の実施形態に係る画像形成装置１００について説明した。画像形成装置１００によれば、第１メディアセンサーＭＳ１が検出したシートＳの性質に基づいて、整合部である第１パドルＰＤ１と第２パドルＰＤ２の整合間隔を制御する。そのため、画像形成装置１００は、整合部との整合回数を抑制でき、整合に伴う動作音の発生を抑制できる。
【００８３】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（３））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であって、特に限定されるものではなく、本発明の構成から実質的に逸脱しない範囲で種々の変更が可能である。
【００８４】
（１）図１〜図７を参照して説明したように、本発明の実施形態では、画像形成装置１００がカラー複合機であるが、本発明はこれに限定されない。例えば、画像形成装置１００がモノクロ複合機でもよいし、画像形成装置１００がカラープリンター、又はモノクロプリンターでもよい。
【００８５】
（２）図１〜図７を参照して説明したように、本発明の実施形態では、シートＳの平滑度を利用して整合間隔を制御したが、本発明はこれに限定されない。例えば、平滑度以外の他の性質、具体的にはシートＳの種類、厚さに基づいて整合間隔を決定してもよい。
【００８６】
（３）図１〜図７を参照して説明したように、本発明の実施形態では、第１メディアセンサーＭＳ１及び第２メディアセンサーＭＳ２は、それぞれ第１カセット４１及び第２カセット４２の内部に設けられているが、本発明はこれに限定されない。例えば、第１メディアセンサーＭＳ１及び第２メディアセンサーＭＳ２が、第１カセット４１及び第２カセット４２の出口付近、第１カセット４１及び第２カセット４２から画像形成部５に搬送される途中に設けられていてもよい。
【産業上の利用可能性】
【００８７】
本発明は、画像形成装置の分野で利用可能である。
【符号の説明】
【００８８】
１      筐体
２      原稿搬送部
３      画像読取部
４      収納部
５      画像形成部
６      定着部
７      排出部
８      操作部
９      制御部
４１    第１カセット
４２    第２カセット
７１    第１排出トレイ
７２    第２排出トレイ
８１    表示部
１００  画像形成装置
９０１  取得部
９０２  関連記憶部
９０３  決定部
９０４  指示部
ＭＳ１  第１メディアセンサー
ＭＳ２  第２メディアセンサー
ＰＤ１  第１パドル
ＰＤ２  第２パドル
Ｓ      シート
Ｔ      シート束
【図１】
2019218152.tif 000003
【図２】
2019218152.tif 000004
【図３】
2019218152.tif 000005
【図４】
2019218152.tif 000006
【図５】
2019218152.tif 000007
【図６】
2019218152.tif 000008
【図７】
2019218152.tif 000009